(57)【要約】【課題】間仕切り構造によって仕切られた空間を趣あるものにするとともに、間仕切りを開放して空間をつなげて使用する際に一体感が得られ、かつ、行き来の邪魔にならない付け柱と該付け柱を用いた間仕切り構造を提供する。【解決手段】付け柱２０を構成する第１片２４および第２片２６のレール１４，１６に対面する長手方向端部にガイド２８，３０が取り付けられているので、第１片２４および第２片２６はレール１４，１６  に沿って摺動できる。したがって、間仕切り構造１０にて空間を仕切る際にはレール１４，１６の突き合わせ部分２２に付け柱２０が配設されて居室の空間を趣あるものにすることができ、また、仕切りを開放して空間をつなげて使用する際には付け柱２０を邪魔にならない場所へ移動させることができる。【選択図】    図２
2004238845.tif 000002
【特許請求の範囲】
【請求項１】
建具を摺動させるための連続する２本のレールの突き合わせ部分に配設される付け柱であって、
一方のレール側に配設された建具の側端が当接される第１片、
他方のレール側に配設された建具の側端が当接される第２片、
前記第１片の長手方向端部に取り付けられて前記第１片を前記レールに沿って摺動させるとともに前記レールに支持するガイド、および
前記第２片の長手方向端部に取り付けられて前記第２片を前記レールに沿って摺動させるとともに前記レールに支持するガイドを備える、付け柱。
【請求項２】
前記第１片および前記第２片の対向端面同士が屈曲可能に連結された、請求項１に記載の付け柱。
【請求項３】
前記第１片と前記第２片とが独立した部材で構成され、前記レールの突き合わせ部分で互いに突き合わされる、請求項１に記載の付け柱。
【請求項４】
居室の空間の一部を仕切る間仕切り構造であって、
床面または天井面の少なくとも一方に取り付けられるとともに所定の角度で突き合わされた連続する２本のレール、
前記各レールのそれぞれに摺動自在に取り付けられた建具、および
前記２本のレールの突き合わせ部分に配設され、一方のレール側に配設されて建具の側端が当接される第１片と、他方のレール側に配設されて建具の側端が当接される第２片と、前記第１片の長手方向端部に取り付けられて前記第１片を前記レールに沿って摺動させるとともに前記レールに支持するガイドと、前記第２片の長手方向端部に取り付けられて前記第２片を前記レールに沿って摺動させるとともに前記レールに支持するガイドとを有する付け柱を備える、間仕切り構造。
【発明の詳細な説明】
【０００１】
【発明の属する技術分野】
本発明は、居室の一部を仕切って和室などを構成するための間仕切り構造における付け柱および該付け柱を用いた間仕切り構造に関するものである。
【０００２】
【従来の技術】
従来より、リビング等の居室（１）の一角に和室を設ける場合、図１１に示すように、床面（１ａ）および天井面（１ｂ）に、レール（３）を設けるとともに、このレール（３）に沿って摺動自在な建具（５）を取り付けることによって居室（１）の空間を仕切っていた。そして、建具（５）によって仕切られた区画内に和室（７）が形成されるとともに、レール（３）の突き合わせ部分（３ａ）には、断面略四角形の付け柱（９）が固定され、和室（７）の空間が趣あるものとなるように演出していた。
【０００３】
このような間仕切り構造によって仕切られた居室（１）の空間を趣あるものとする技術として、付け柱の周辺に柱・側壁・床板などをさらに設け、和室の角部に書院風の出っ張り部を形成する技術が知られている（例えば、特許文献１参照。）。
【０００４】
しかしながら、これらの技術では、付け柱（９）が固定されているので、引戸などの建具（５）を開けて居室（１）と和室（７）とをつなげて使用する（つまり、居室の一部に設けられた間仕切り構造を開放して居室（１）を全体として使用する）場合、付け柱（９）などがレールの突き合わせ部分（３ａ）に残ったままとなるため、どうしても視界に入ってしまい、居室（１）と和室（７）との一体感が得られ難く、また、居室（１）と和室（７）との行き来の際、邪魔になるという問題があった。
【０００５】
【特許文献１】
実公平６−１９４８号公報（第１−２頁、第１図）
【０００６】
【発明が解決しようとする課題】
それゆえ、この発明の主たる課題は、間仕切り構造によって仕切られた空間を趣あるものにするとともに、間仕切りを開放して空間をつなげて使用する際に一体感が得られ、かつ、行き来の邪魔にならない付け柱と該付け柱を用いた間仕切り構造を提供することである。
【０００７】
【課題を解決するための手段】
請求項１に記載した発明は、「建具（１８）を摺動させるための連続する２本のレール（１４）（１６）の突き合わせ部分（２２）に配設される付け柱（２０）であって、一方のレール（１４）側に配設された建具（１８）の側端が当接される第１片（２４）、他方のレール（１６）側に配設された建具（１８）の側端が当接される第２片（２６）、第１片（２４）の長手方向端部に取り付けられて第１片（２４）をレール（１４）（１６）に沿って摺動させるとともにレール（１４）（１６）に支持するガイド（２８）、および第２片（２６）の長手方向端部に取り付けられて第２片（２６）をレール（１４）（１６）に沿って摺動させるとともにレール（１４）（１６）に支持するガイド（３０）を備える」ことを特徴とするものである。
【０００８】
この発明では、付け柱（２０）を構成する第１片（２４）および第２片（２６）の長手方向端部にそれぞれガイド（２８）と（３０）とが取り付けられているので、第１片（２４）および第２片（２６）はレール（１４）（１６）に沿って摺動できるとともに、これらをレール（１４）（１６）に支持することができる。したがって、建具（１８）をレール（１４）（１６）に沿って摺動させて空間を仕切る際にはレール（１４）（１６）の突き合わせ部分（２２）に付け柱（２０）を配設させることができ、また、建具（１８）を摺動させて空間をつなげて使用する際には付け柱（２０）を邪魔にならない場所へ移動させることができる。
【０００９】
また、第１片（２４）および第２片（２６）には、それぞれ建具（１８）の側端が当接されるので、建具（１８）によって空間を仕切った際にレール（１４）（１６）の突き合わせ部分（２２）に隙間を生じさせることなく空間を仕切ることができる。
【００１０】
請求項２に記載した発明は、請求項１に記載した発明において、「第１片（２４）および第２片（２６）の対向端面同士が屈曲可能に連結された」ことを特徴とするものである。
【００１１】
この発明では、第１片（２４）および第２片（２６）が例えば一体的に形成されることや別体で形成されて蝶番などの連結手段で連結されることによって、第１片（２４）および第２片（２６）の対向端面同士が屈曲可能に連結された１つの部材として構成されているので、付け柱（１０）を移動させてレール（１４）（１６）の突き合わせ部分（２２）に配設する際、レール（１４）（１６）の突き合わせ部分（２２）に達した付け柱（２０）は、当該連結部分が屈曲することによってレール（１４）（１６）の突き合わせ部分（２２）に収まるようになる。一方、付け柱（２０）をレール（１４）（１６）の突き合わせ部分（２２）から他の場所へ移動する際には、付け柱（２０）の屈曲が解除され、付け柱（２０）は１つの部材としてレール（１４）（１６）に沿った他の場所へ移動することができる。
【００１２】
請求項３に記載した発明は、請求項１に記載した発明において、「第１片（２４）と第２片（２６）とが独立した部材で構成され、レール（１４）（１６）の突き合わせ部分（２２）で互いに突き合わされる」ことを特徴とするものである。
【００１３】
この発明では、第１片（２４）と第２片（２６）とをレール（１４）（１６）の突き合わせ部分（２２）で互いに突き合わせると１本の柱状構造になるので、建具（１８）をレール（１４）（１６）に沿って摺動させて空間を仕切る際に、空間をさらに趣あるものにすることができるとともに、付け柱（２０）を方立てとしても利用できる。
【００１４】
請求項４に記載の発明は、「居室（１２）の空間の一部を仕切る間仕切り構造（１０）であって、床面（１２ａ）または天井面（１２ｂ）の少なくとも一方に取り付けられるとともに所定の角度で突き合わされた連続する２本のレール（１４）（１６）、各レール（１４）（１６）のそれぞれに摺動自在に取り付けられた建具（１８）、および２本のレール（１４）（１６）の突き合わせ部分（２２）に配設され、一方のレール（１４）側に配設されて建具（１８）の側端が当接される第１片（２４）と、他方のレール（１６）側に配設されて建具（１８）の側端が当接される第２片（２６）と、第１片（２４）の長手方向端部に取り付けられて第１片（２４）をレール（１４）（１６）に沿って摺動させるとともにレール（１４）（１６）に支持するガイド（２８）と、第２片（２６）の長手方向端部に取り付けられて第２片（２６）をレール（１４）（１６）に沿って摺動させるとともにレール（１４）（１６）に支持するガイド（３０）とを有する付け柱（２０）を備える」ことを特徴とするものである。
【００１５】
この発明では、２本のレール（１４）（１６）が所定の角度で突き合わされているので、居室の既存の壁面（１２ｃ）を利用することによって４隅が完全に仕切られた独立した空間を構成することができる。また、２本のレール（１４）（１６）が連続するようにしているので、付け柱（２０）が２本のレール（１４）（１６）のどちら側へも移動することができる。
【００１６】
そして、この発明の間仕切り構造（１０）を用いて居室（１２）の空間を仕切り、この空間に和室などを設けた際には、レール（１４）（１６）の突き合わせ部分（２２）に付け柱（２０）を配設することができ、間仕切り構造（１０）によって仕切られた空間を趣あるものにすることができる。さらに、建具（１８）を移動させて空間をつなげて使用する際には、付け柱（２０）を突き合わせ部分（２２）から邪魔にならない他の場所へ移動させることができ、空間に一体感が得られる。
【００１７】
【発明の実施の形態】
図１および図２を参照して、この発明の一実施例の間仕切り構造（１０）は、居室（１２）の空間の一部を仕切るためのものであり、レール（１４）（１６），建具（１８）および付け柱（２０）で構成されている。
【００１８】
レール（１４）（１６）は、床面（１２ａ）または天井面（１２ｂ）の少なくとも一方（本実施例では、床面（１２ａ）および天井面（１２ｂ）の両方）に取り付けられて、建具（１８）や付け柱（２０）の移動方向を案内する長尺の部材である。各レール（１４）（１６）は、その長手方向一端が居室（１２）の相互に隣接する壁面（１２ｃ）に当接するとともに、長手方向他端が略９０°の角度で突き合わされるように配設され、レール（１４）と（１６）とが連続するように取り付けられている。また、それぞれのレール（１４）（１６）は、建具（１８）の種類や取り付け数に応じて所定数（本実施例では３列）並設されている。
【００１９】
建具（１８）は、レール（１４）（１６）に沿って摺動自在に取り付けられた板状の仕切り部材である。この建具（１８）としては、挽材、合板、木質繊維板（ＩＢ，ＭＤＦなど）、木削片板（パーティクルボード，ストランドボード，ＯＳＢなど）、集成材および単板積層材などを単独あるいはこれらを任意複合した材料で構成された引戸や折戸などが好適である。
【００２０】
また、建具（１８）の表面は、化粧紙，化粧樹脂含浸紙，化粧合成樹脂シートおよび化粧単板等からなる化粧材を貼着することによって、あるいは着色塗装，柄模様印刷および透明塗装などを施すことによって装飾・保護されている。
【００２１】
付け柱（２０）は、レール（１４）（１６）の突き合わせ部分（２２）に配設されて間仕切り構造（１０）の趣を演出するとともに、建具（１８）によって空間を仕切った際にレール（１４）（１６）の突き合わせ部分（２２）に隙間を生じさせることなく空間を仕切るための長尺部材であり、第１片（２４），第２片（２６），ガイド（２８）（３０）によって構成されている。
【００２２】
第１片（２４）は、付け柱（１０）をレール（１４）（１６）の突き合わせ部分（２２）に位置決めした際に一方のレール（１４）側に配設される長尺の片部であり、その形状が様々に変化できる軟質材料によって形成されている。この軟質材料としては、ポリエチレン，ポリ塩化ビニル等の合成樹脂やイソプロピレンゴム，シリコーンゴム等の合成ゴムおよび天然ゴムなどが好適である。
【００２３】
第２片（２６）は付け柱（１０）をレール（１４）（１６）の突き合わせ部分（２２）に位置決めした際に他方のレール（１６）側に配設される長尺の片部であり、第１片（２４）と同様にその形状が様々に変化できる軟質材料によって形成されている。
【００２４】
なお、本実施例では、第１片（２４）と第２片（２６）とが同じ軟質材料で形成されているので、付け柱（２０）を第１片（２４）と第２片（２６）の対向端面同士が一体的に形成された１つの長尺部材として示しているが、第１片（２４）と第２片（２６）とは、後述するように、別体で構成されても良いし、また、別体で構成したものを蝶番などの連結手段で屈曲可能に連結するようにしても良い。
【００２５】
また、付け柱（２０）の下端部や上端部にフランス落とし（図示せず）等の固定具を設けてもよい。
【００２６】
ガイド（２８）は、レール（１４）（１６）と対面する第１片（２４）の長手方向端部に取り付けられ、レール（１４）（１６）に形成された溝などに係合することによって、付け柱（１０）の第１片（２４）をレール（１４）（１６）に沿って摺動させるとともに、これをレール（１４）（１６）に支持するためのものである。このガイドとしては、ピボットや戸車、吊り車などが好適である。
【００２７】
ガイド（３０）は、レール（１４）（１６）と対面する第２片（２４）の長手方向端部に取り付けられ、レール（１４）（１６）に形成された溝などに係合することによって、付け柱（１０）の第２片（２６）をレール（１４）（１６）に沿って摺動させるとともに、これをレール（１４）（１６）に支持するためのものである。このガイドとしては、ピボットや戸車、吊り車などが好適である。
【００２８】
本発明の間仕切り構造（１０）を用いて、居室（１２）の空間を仕切る際には、まず、付け柱（１０）をレール（１４）（１６）に沿って移動させ、これをレール（１４）（１６）の突き合わせ部分（２２）に位置決めする。すると、レール（１４）（１６）の突き合わせ部分（２２）に達した付け柱（２０）は、軟質材料で形成された第１片（２４）と第２片（２６）との連結部分で屈曲して、レール（１４）（１６）の突き合わせ部分（２２）に収まるようになる（図２参照）。
【００２９】
そして、建具（１８）をレール（１４）（１６）に沿って移動させ、居室（１２）の空間を仕切るようにする。すると、図１，図３および図４に示すように、間仕切り構造（１０）によって、レール（１４）（１６）の突き合わせ部分（２２）に隙間が生じることなく、居室（１２）の空間が仕切られるようになる。
【００３０】
一方、間仕切り構造（１０）を開放して居室（１２）の空間をつなげて使用する際には、まず、各レール（１４）（１６）に取り付けられた建具（１８）を壁面（１２ｃ）側に移動させて、居室（１２）の空間をつなげるようにする。
【００３１】
そして、付け柱（２０）がレール（１４）（１６）の突き合わせ部分（２２）から壁面（１２ｃ）側へ移動するように第２片（２６）を引っ張る。すると、付け柱（２０）が屈曲から開放されて元の屈曲がないストレートな状態に戻り、レール（１６）に沿って摺動し、図５および図６に示すように、建具（１８）が収まった壁面（１２ｃ）側にまで移動できる。なお、レール（１４）とレール（１６）とは連続しているため、付け柱（２０）の第１片（２４）を引っ張ることによって、付け柱（２０）をレール（１４）に沿って移動させることもできる。
【００３２】
本実施例の間仕切り構造（１０）によれば、付け柱（２０）を構成する第１片（２４）と第２片（２６）とが屈曲可能に一体化されており、また、付け柱（２０）にはレール（１４）（１６）と当接する長手方向端部にガイド（２８）および（３０）が取り付けられているので、付け柱（２０）はレール（１４）およびレール（１６）の間を自由に摺動できる。このため、間仕切り構造（１０）にて空間を仕切る際にはレール（１４）（１６）の突き合わせ部分（２２）に付け柱（２０）を配設して居室（１２）の空間を趣あるものにすることができ、また、間仕切り構造（１０）を開放して空間をつなげて使用する際には付け柱（２０）を壁面（１２ｃ）側の邪魔にならない場所へ移動させることができる。
【００３３】
さらに、２本のレール（１４）（１６）が略９０°の角度で連結されているので、居室（１２）の既存の壁面（１２ｃ）を利用することによって、４隅が完全に仕切られた独立した空間を構成することができる。
【００３４】
なお、上述の実施例では、付け柱（２０）の第１片（２４）と第２片（２６）とが軟質材料で形成され、これらが連結・一体化されているものを示したが、付け柱（２０）は、建具（１８）で居室（１２）の空間を仕切る際にレール（１４）（１６）の突き合わせ部分（２２）に配設でき、かつ、空間をつなげて使用する際に壁面（１２ｃ）側の邪魔にならない場所へ移動できるものであれば、その態様は上述の実施例に限定されるものではない。
【００３５】
つまり、付け柱（２０）として、例えば図７に示すように、第１片（２４）と第２片（２６）との連結部分にヒンジ部（３２）を設けてもよい。このようにすることで、第１片（２４）および第２片（２６）を軟質材料のみでなく硬質のプラスチックや木質材料などで形成することができる。
【００３６】
また、例えば図８や図９に示すように第１片（２４）と第２片（２６）とが独立した部材で構成され、レール（１４）（１６）の突き合わせ部分（２２）で互いに突き合わせると１本の柱状構造となる部材を用いるようにしてもよい。このようにすることで、間仕切り構造（１０）にて空間を仕切る際に、空間をさらに趣のあるものにすることができるとともに、付け柱（２０）を方立てとして利用できる。
【００３７】
さらに、図１０に示すように、１つ角柱がレール（１４）（１６）に沿って移動できるようにしたものであってもよい。
【００３８】
【発明の効果】
本発明によれば、付け柱がレールに沿って摺動できるので、間仕切り構造にて空間を仕切る際には、レールの突き合わせ部分に付け柱を配設されることができ、また、間仕切り構造を開放して空間をつなげて使用する際には、付け柱を壁側の邪魔にならない場所へ移動させることができる。
【００３９】
したがって、間仕切り構造によって仕切られた空間を趣あるものにするとともに、間仕切りを開放して空間をつなげて使用する際に一体感が得られ、かつ、行き来の邪魔にならない付け柱および該付け柱を用いた間仕切り構造を提供することができる。
【図面の簡単な説明】
【図１】本発明の一実施例の間仕切り構造（空間仕切り時）を示す斜視図である。
【図２】本発明の一実施例の付け柱を示す斜視図である。
【図３】本発明の一実施例の間仕切り構造（空間仕切り時）を示す断面図である。
【図４】本発明の一実施例の間仕切り構造の要部を示す拡大断面図である。
【図５】本発明の一実施例の間仕切り構造（空間開放時）を示す斜視図である。
【図６】本発明の一実施例の間仕切り構造（空間開放時）を示す断面図である。
【図７】本発明の他の実施例の付け柱を示す断面図である。
【図８】本発明の他の実施例の付け柱を示す断面図である。
【図９】本発明の他の実施例の付け柱を示す断面図である。
【図１０】本発明の他の実施例の付け柱を示す断面図である。
【図１１】従来技術を示す斜視図である。
【符号の説明】
（１０）…  間仕切り構造
（１２）…  居室
（１４）…  一方のレール
（１６）…  他方のレール
（１８）…  建具
（２０）…  付け柱
（２２）…  レールの突き合わせ部分
（２４）…  第１片
（２６）…  第２片
（２８）…  （第１片の）ガイド
（３０）…  （第２片の）ガイド
【図１】
2004238845.tif 000003
【図２】
2004238845.tif 000004
【図３】
2004238845.tif 000005
【図４】
2004238845.tif 000006
【図５】
2004238845.tif 000007
【図６】
2004238845.tif 000008
【図７】
2004238845.tif 000009
【図８】
2004238845.tif 000010
【図９】
2004238845.tif 000011
【図１０】
2004238845.tif 000012
【図１１】
2004238845.tif 000013